【手続補正書】
【提出日】平成17年4月14日(2005.4.14)
【手続補正１】
【補正対象書類名】明細書
【補正対象項目名】発明の名称
【補正方法】変更
【補正の内容】
【発明の名称】水栓装置
【手続補正２】
【補正対象書類名】明細書
【補正対象項目名】特許請求の範囲
【補正方法】変更
【補正の内容】
【特許請求の範囲】
【請求項１】
発電手段と一次電池と、前記発電手段の出力または前記一次電池によって充電されるコンデンサと、該コンデンサの電圧を所定の電圧に変換する電圧変換手段と、該電圧変換手段からの給電により作動される水栓制御回路と、該水栓制御回路により流路を開閉する電磁弁を有する水栓装置において、前記一次電池から前記コンデンサへの充電を制御するスイッチ手段を備え、該スイッチ手段は前記水栓制御回路の負荷電流に応じて、前記一次電池と前記コンデンサとの接続を遮断することを特徴とする水栓装置。
【請求項２】
請求項１の水栓装置において、前記スイッチ手段は前記電圧変換手段の出力低下時、前記一次電池と前記コンデンサとの接続を遮断することを特徴とする水栓装置。
【請求項３】
請求項１の水栓装置において、前記スイッチ手段は前記電磁弁の通電後所定時間、前記一次電池と前記コンデンサとの接続を遮断することを特徴とする水栓装置。
【請求項４】
請求項１の水栓装置において、前記電圧変換手段はスイッチング型電圧変換回路であり、前記スイッチ手段は、前記スイッチング型電圧変換回路のスイッチング動作時に、前記一次電池と前記コンデンサの接続を遮断することを特徴とする水栓装置。
【請求項５】
発電手段と一次電池と、前記発電手段の出力または前記一次電池によって充電されるコンデンサと、該コンデンサの電圧を所定の電圧に変換する電圧変換手段と、該電圧変換手段からの給電により作動される水栓制御回路と、該水栓制御回路により流路を開閉する電磁弁を有する水栓装置において、前記一次電池から前記コンデンサへの充電を制御するインピーダンス変更手段を備え、該インピーダンス変更手段は前記水栓制御回路の負荷電流に応じて、前記一次電池と前記コンデンサとの接続を高インピーダンスとすることを特徴とする水栓装置。
【請求項６】
請求項５の水栓装置において、前記インピーダンス変更手段は前記電圧変換手段の出力低下時、前記一次電池と前記コンデンサとの接続を高インピーダンスとすることを特徴とする水栓装置。
【請求項７】
請求項５の水栓装置において、前記インピーダンス変更手段は前記電磁弁の通電後所定時間、前記一次電池と前記コンデンサとの接続を高インピーダンスとすることを特徴とする水栓装置。
【請求項８】
請求項５の水栓装置において、前記電圧変換手段はスイッチング型電圧変換回路であり、前記インピーダンス変更手段は、前記スイッチング型電圧変換回路のスイッチング動作時に、前記一次電池と前記コンデンサの接続を高インピーダンスとする水栓装置。
【請求項９】
請求項５乃至８のいずれか１項の水栓装置において、前記インピーダンス変更手段は抵抗とスイッチ素子の直列または並列回路であることを特徴とする水栓装置。
【請求項１０】
請求項５乃至８のいずれか１項の水栓装置において、前記インピーダンス変更手段はスイッチ素子のＯＮ／ＯＦＦ制御の変更によることを特徴とする水栓装置。
【請求項１１】
水栓の流路に設けられた水力発電機と、該発電機によって充電されるコンデンサと、該コンデンサの電圧を所定の電圧に変換する電圧変換手段と、該電圧変換手段からの給電により作動される水栓制御回路と、該水栓制御回路により流路を開閉する電磁弁を有する水栓装置において、電力消費回路を備え、前記コンデンサまたは電力消費回路を前記発電機出力に接続するための切り替え手段を備えたことを特徴とする水栓装置。
【請求項１２】
請求項１１の水栓装置において、前記切り替え手段は、前記コンデンサの充電電圧に応じて制御することを特徴とする水栓装置。
【請求項１３】
水栓の流路に設けられた水力発電機と、該発電機によって充電される蓄電手段と、該蓄電手段からの給電により作動される水栓制御回路と、該水栓制御回路により流路を開閉する電磁弁を有する水栓装置において、電力消費回路を備え、該電力消費回路または前記蓄電手段を前記発電機出力に接続するための切り替え手段を備えたことを特徴とする水栓装置。
【請求項１４】
請求項１３の水栓装置において、前記切り替え手段は、蓄電手段の充電電圧に応じて制御することを特徴とする水栓装置。
【請求項１５】
請求項１２または１４の水栓装置において、前記電力消費回路の負荷は抵抗であり、前記切り替え手段は、前記充電電圧が所定の閾値を越えたか否かを検出する充電電圧検出手段を備え、前記充電電圧が前記所定の閾値を越えた場合は、前記発電機出力に前記負荷である抵抗を接続することを特徴とする水栓装置。
【手続補正３】
【補正対象書類名】明細書
【補正対象項目名】００１３
【補正方法】変更
【補正の内容】
【００１３】
【課題を解決するための手段】 発電手段と一次電池と、前記発電手段の出力または前記一次電池によって充電されるコンデンサと、該コンデンサの電圧を所定の電圧に変換する電圧変換手段と、該電圧変換手段からの給電により作動される水栓制御回路と、該水栓制御回路により流路を開閉する電磁弁を有する水栓装置において、前記一次電池から前記コンデンサへの充電を制御するスイッチ手段を備え、該スイッチ手段は前記水栓制御回路の負荷電流に応じて、前記一次電池と前記コンデンサとの接続を遮断することを特徴とするので、大電流放電による一次電池の劣化を防止し、一次電池の消費を管理できる。
【手続補正４】
【補正対象書類名】明細書
【補正対象項目名】００１４
【補正方法】変更
【補正の内容】
【００１４】
請求項１の水栓装置において、前記スイッチ手段は前記電圧変換手段の出力低下時、前記一次電池と前記コンデンサとの接続を遮断することを特徴とするので、電圧変換回路の出力低下によって水栓制御回路の負荷電流の急激な増加を検出し、一次電池からの電源供給を防止する。
【手続補正５】
【補正対象書類名】明細書
【補正対象項目名】００１５
【補正方法】変更
【補正の内容】
【００１５】
請求項１の水栓装置において、前記スイッチ手段は前記電磁弁の通電後所定時間、前記一次電池と前記コンデンサとの接続を遮断することを特徴とするので、電磁弁の大電流負荷によって電圧変換回路の出力電圧が一時的に低下していることを予想し、一次電池からの放電を防止する。
【手続補正６】
【補正対象書類名】明細書
【補正対象項目名】００１６
【補正方法】変更
【補正の内容】
【００１６】
請求項１の水栓装置において、前記電圧変換手段はスイッチング型電圧変換回路であり、前記スイッチ手段は、前記スイッチング型電圧変換回路のスイッチング動作時に、前記一次電池と前記コンデンサの接続を遮断することを特徴とするので、電圧変換回路のスイッチング動作によって水栓制御回路の負荷電流の増加を検出し、一次電池からの電源供給を防止する。
【手続補正７】
【補正対象書類名】明細書
【補正対象項目名】００１７
【補正方法】変更
【補正の内容】
【００１７】
発電手段と一次電池と、前記発電手段の出力または前記一次電池によって充電されるコンデンサと、該コンデンサの電圧を所定の電圧に変換する電圧変換手段と、該電圧変換手段からの給電により作動される水栓制御回路と、該水栓制御回路により流路を開閉する電磁弁を有する水栓装置において、前記一次電池から前記コンデンサへの充電を制御するインピーダンス変更手段を備え、該インピーダンス変更手段は前記水栓制御回路の負荷電流に応じて、前記一次電池と前記コンデンサとの接続を高インピーダンスとすることを特徴とするので、コンデンサの充電回路の時定数を任意に制御でき、これによって、一次電池の劣化を引き起こさない程度の電流範囲で、コンデンサの充電時間を最短とすることができる。
【手続補正８】
【補正対象書類名】明細書
【補正対象項目名】００１８
【補正方法】変更
【補正の内容】
【００１８】
請求項５の水栓装置において、前記インピーダンス変更手段は前記電圧変換手段の出力低下時、前記一次電池と前記コンデンサとの接続を高インピーダンスとすることを特徴とするので、電圧変換回路の出力低下によって水栓制御回路の負荷電流の急激な増加を検出し、一次電池からコンデンサへの充電電流を制限する。
【手続補正９】
【補正対象書類名】明細書
【補正対象項目名】００１９
【補正方法】変更
【補正の内容】
【００１９】
請求項５の水栓装置において、前記インピーダンス変更手段は前記電磁弁の通電後所定時間、前記一次電池と前記コンデンサとの接続を高インピーダンスとすることを特徴とするので、電磁弁の大電流負荷によって電圧変換回路の出力電圧が一時的に低下していることを予想し、一次電池からコンデンサへの充電電流を制限する。
【手続補正１０】
【補正対象書類名】明細書
【補正対象項目名】００２０
【補正方法】変更
【補正の内容】
【００２０】
請求項５の水栓装置において、前記電圧変換手段はスイッチング型電圧変換回路であり、前記インピーダンス変更手段は、前記スイッチング型電圧変換回路のスイッチング動作時に、前記一次電池と前記コンデンサの接続を高インピーダンスとするので、電圧変換回路のスイッチング動作によって水栓制御回路の負荷電流の増加を検出し、一次電池からのコンデンサへの充電電流を制限する。
【手続補正１１】
【補正対象書類名】明細書
【補正対象項目名】００２１
【補正方法】変更
【補正の内容】
【００２１】
請求項５乃至８のいずれか１項の水栓装置において、前記インピーダンス変更手段は抵抗とスイッチ素子の直列または並列回路であることを特徴とするので、スイッチ素子の制御で多彩なインピーダンス変更が可能である。
【手続補正１２】
【補正対象書類名】明細書
【補正対象項目名】００２２
【補正方法】変更
【補正の内容】
【００２２】
請求項５乃至８のいずれか１項の水栓装置において、前記インピーダンス変更手段はスイッチ素子のＯＮ／ＯＦＦ制御の変更によることを特徴とするので、少部品で済み、マイコン等による制御に最適である。
【手続補正１３】
【補正対象書類名】明細書
【補正対象項目名】００２３
【補正方法】変更
【補正の内容】
【００２３】
水栓の流路に設けられた水力発電機と、該発電機によって充電される蓄電手段と、該蓄電手段からの給電により作動される水栓制御回路と、該水栓制御回路により流路を開閉する電磁弁を有する水栓装置において、電力消費回路を備え、該電力消費回路または前記蓄電手段を前記発電機出力に接続するための切り替え手段を備えたことを特徴とするので、発電機の出力電流が途切れることがなく、水栓装置の流量が安定する。
【手続補正１４】
【補正対象書類名】明細書
【補正対象項目名】００２４
【補正方法】変更
【補正の内容】
【００２４】
請求項１１の水栓装置において、前記切り替え手段は、前記コンデンサの充電電圧に応じて制御することを特徴とするので、水栓装置の流量安定と同時にコンデンサの充電制御も可能となる。
【手続補正１５】
【補正対象書類名】明細書
【補正対象項目名】００２５
【補正方法】変更
【補正の内容】
【００２５】
水栓の流路に設けられた水力発電機と、該発電機によって充電される蓄電手段と、該蓄電手段からの給電により作動される水栓制御回路と、該水栓制御回路により流路を開閉する電磁弁を有する水栓装置において、電力消費回路を備え、該電力消費回路または前記蓄電手段を前記発電機出力に接続するための切り替え手段を備えたことを特徴とするので、発電機の出力電流が途切れることがなく、水栓装置の流量が安定する。
【手続補正１６】
【補正対象書類名】明細書
【補正対象項目名】００２６
【補正方法】変更
【補正の内容】
【００２６】
請求項１３の水栓装置において、前記切り替え手段は、蓄電手段の充電電圧に応じて制御することを特徴とするので、水栓装置の流量安定と同時に蓄電手段の充電制御も可能となる。
【手続補正１７】
【補正対象書類名】明細書
【補正対象項目名】００２７
【補正方法】変更
【補正の内容】
【００２７】
請求項１２または１４の水栓装置において、前記電力消費回路の負荷は抵抗であり、前記切り替え手段は、前記充電電圧が所定の閾値を越えたか否かを検出する充電電圧検出手段を備え、前記充電電圧が前記所定の閾値を越えた場合は、前記発電機出力に前記負荷である抵抗を接続することを特徴とするので、発電機の出力電流は、充電電圧が所定の電圧以下では充電電流に、それ以上の電圧では抵抗が負荷となって電流が継続し、水栓装置の流量が変化することがない。
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】削除
【補正の内容】
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】